(57)【要約】【課題】  既設の鋼合成桁橋の補修・補強工事にもプレキャストＰＣ床版の使用を可能とする鋼主桁とプレキャストＰＣ床版との接合構造を提供する。【解決手段】  鋼合成桁橋の鋼主桁とプレキャストＰＣ床版との接合構造において、鋼主桁の上部フランジの複数箇所それぞれに溶着・立設された複数本の高強度スタッドジベルのうち、縁端距離の短い２本の高強度スタッドジベルの根元部に該高強度スタッドジベルを取り囲むようにしてコイル状のスプリングでなるスパイラル筋を配設し、これら２つのスパイラル筋と複数本の高強度スタッドジベルとでなるスタッドジベルユニットを、プレキャストＰＣ床版のＰＣ鋼材が存在しない位置に穿設されたスタッドジベル孔に挿通した後、スタッドジベル孔にモルタルを充填・固化して鋼主桁とプレキャストＰＣ床版とを接合させる高強度スタッドジベルとスパイラル筋による鋼主桁とプレキャストＰＣ床版の接合構造による。【選択図】  図１
2005256430.tif 000002
【特許請求の範囲】
【請求項１】
鋼合成桁橋の鋼主桁とプレキャストＰＣ床版との接合構造において、鋼主桁の上フランジの複数箇所のそれぞれに相互に近接して配置された複数本の高強度スタッドジベルが溶着・立設され、前記複数本の高強度スタッドジベルのうち縁端距離の短い２本の高強度スタッドジベルの根元部に該高強度スタッドジベルを取り囲むようにして、コイル状のスプリングでなるスパイラル筋が配設され、これら２つのスパイラル筋と複数本の高強度スタッドジベルとでなるスタッドジベルユニットを、前記プレキャストＰＣ床版のＰＣ鋼材が存在しない位置に穿設されたスタッドジベル孔に挿通した後、前記スタッドジベル孔にモルタルを充填・固化して鋼主桁とプレキャストＰＣ床版とを高強度スタッドジベルとスパイラル筋を介して接合させて構成されることを特徴とする高強度スタッドジベルとスパイラル筋による鋼合成桁橋の鋼主桁とプレキャストＰＣ床版との接合構造。
【請求項２】
鋼合成桁橋の鋼主桁とプレキャストＰＣ床版との接合構造において、鋼主桁の上フランジの複数箇所のそれぞれに相互に近接して配置された複数本の高強度スタッドジベルが溶着・立設され、前記複数本の高強度スタッドジベルのうち縁端距離の短い２本の高強度スタッドジベルの根元部に、それぞれの高強度スタッドジベルを取り囲むようにして、コイル状のスプリングとその下端に嵌合された固定具とで構成されるスパイラル筋用具が固定され、これら２つのスパイラル筋用具と複数本の高強度スタッドジベルとでなるスタッドジベルユニットを、前記プレキャストＰＣ床版のＰＣ鋼材が存在しない位置に穿設されたスタッドジベル孔に挿通した後、前記スタッドジベル孔にモルタルを充填・固化して鋼主桁とプレキャストＰＣ床版とを高強度スタッドジベルとスパイラル筋用具を介して接合させることを特徴とする高強度スタッドジベルとスパイラル筋による鋼合成桁橋の鋼主桁とプレキャストＰＣ床版との接合構造。
【請求項３】
前記高強度スタッドジベルの根元を取り囲むように配設されるスパイラル筋の長さが、２０〜９０ｍｍであることを特徴とする請求項１又は２に記載の高強度スタットジベルとスパイラル筋による鋼合成桁橋の鋼主桁とプレキャストＰＣ床版との接合構造。
【請求項４】
前記スパイラル筋に用いられるコイル状のスプリングが、直径３．２ｍｍ〜４．０ｍｍの鋼線で構成され、かつスプリングの下部末端部又は上下両末端部が、１巻後のスプリングの腹部に溶接されてなることを特徴とする請求項１〜３のいずれか１項に記載の高強度スタッドジベルとスパイラル筋による鋼合成桁橋の鋼主桁とプレキャストＰＣ床版との接合構造。
【請求項５】
前記スプリングのコイル径が、前記高強度スタッドジベルの軸径の１．５〜３倍であることを特徴とする請求項１〜４のいずれか１項に記載の高強度スタッドジベルとスパイラル筋による鋼合成桁橋の鋼主桁とプレキャストＰＣ床版との接合構造。
【請求項６】
前記固定具が、環状板の外周部に数か所の切り込みを有しかつ上端部が内側にオーバーハングした側壁と、また内周部に前記スタッドジベルの根元部にスパイラル筋を係止、固定するために内側に向かって突出した複数個の爪とを、弾性を有する金属板で一体構造に形成してなることを特徴とする請求項２〜５のいずれか１項に記載の高強度スタッドジベルとスパイラル筋による鋼合成桁橋の鋼主桁とプレキャストＰＣ床版との接合構造。
【発明の詳細な説明】
【技術分野】
【０００１】
本発明は、鋼合成桁橋梁における鋼主桁とプレキャストＰＣ床版との接合構造に関するものである。
【背景技術】
【０００２】
近年、鋼合成桁橋梁において、鉄筋コンクリート床版（以下ＲＣ床版と記す）の損傷により補修・補強が必要となる事例が多数報告されている。このＲＣ床版の損傷を床版の交換によって対応する場合、従来より高い耐活荷重に改訂された現行の道路橋示方書に準じて設計を行うと、ＲＣ床版の床版厚が大きくなり、鋼主桁に加わる死荷重が増加し、鋼主桁の強度にも影響を与える。
これに対してＰＣ床版（プレストレストコンクリート床版）は、ＲＣ床版に比べ床版厚が小さくでき、死荷重の低減が可能になり、鋼主桁への負担が軽減されるメリットがある。死荷重をさらに軽減させたい場合には高強度軽量コンクリートを使用した床版の採用も可能である。また、予め工場等で製造されたプレキャストＰＣ床版を使用することで現場作業の省力化が図れ、工事中の交通規制や迂回路確保の点でも有利となる。
【０００３】
しかし、鋼主桁の床版としてプレキャストＰＣ床版を使用する場合、プレキャストＰＣ床版に穿設されるスタッドジベル孔とＰＣ鋼材との位置関係が問題となる。スタッドジベル孔は鋼主桁の上フランジの複数箇所のそれぞれに相互に近接して溶着・立設された複数本のスタッドジベルで構成されるスタットジベル群に合致する間隔で穿設されねばならないが、鋼主桁の端部や中間支点上のようにスタッドジベル群が橋軸方向に密に立設されている場所では、図６に示すように、プレキャストＰＣ床版１のＰＣ鋼材９が存在する位置にスタッドジベル孔２を穿設せざるを得ないことになる。ＰＣ鋼材９を避けてスタッドジベル孔２を穿設しようとすると、スタッドジベル５群の設置間隔は２５０ｍｍ以上必要とされるが、現行の道路橋示方書では、従来タイプのスタッドジベル５を使用して設計した場合、その必要設置間隔は１２５ｍｍ程度となり、鋼主桁の端部や中間支点上ではプレキャストＰＣ床版１の使用は困難となる。
【０００４】
スタッドジベル５群の設置間隔をプレキャストＰＣ床版１の使用が可能となる間隔２５０ｍｍ以上に拡げると、橋軸方向に配設されるスタッドジベル５の本数が減るため、スタッドジベル５が負担する１本あたりのせん断力が大きくなり、スタッドジベル５のせん断耐荷力を高める必要がでてくる。このスタッドジベル５のせん断耐荷力を向上させる技術としては、これまでに、軸径を大きくした中実あるいはパイプ状のスタッドジベル、スタッドの根元の軸径を太くした変断面スタッドジベル、高強度素材を用いたスタッドジベルなどスタッドジベル自体のせん断耐荷力を向上させたもの、あるいは遅延硬化性樹脂モルタルをスタッドジベルの軸部に巻着してプレストレス成分の除去を図ったもの等が研究、開発され、実用化されている。
【非特許文献１】前田泰秀・平城弘一・池尾良一ら：高剛性スタッドの静的押抜き強度特性に関する研究、土木学会第５６回年次学術講演会概要集Ｉ−Ｂ278、 2001年10月
【非特許文献２】宇野暢芳・井上一朗他：高強度・高剛性パイプスタッドの開発研究、日本建築学会学術講演会概要集Ｃ構造ＩＩ、1991年9月
【非特許文献３】渡辺滉・橘吉宏・北川幸司・牛島祥貴・平城弘一・栗田章光：遅延合成構造の開発と実用化に関する研究、構造工学論文集、Vol.147A、2001年3月
【０００５】
これらの高強度スタッドジベル５も、図７に示したプレキャストＰＣ床版１と鋼主桁３の上フランジ４との接合を確実にするために設けられるモルタル７の縁端部と、同縁端部から最も近い位置に配設された高強度スタッドジベル５との距離（縁端距離）ｄが短いと、プレキャストＰＣ床版１と上フランジ４との間に充填・固化されたモルタル７がプレキャストＰＣ床版１と上フランジ４との間に生じるせん断力に対して抵抗する高強度スタッドジベル５の支圧力によって破損し、高強度スタッドジベル５の持つせん断耐荷力を十分引き出せないことになる。つまり、鋼主桁３の上フランジ４と床版１の接合部の強度が、高強度スタッドジベル５の持つせん断耐荷力を発揮することなく、モルタル７の強度で決まり、スタッドジベル５の高強度化を図っても、その効果が生かしきれないことになる。殊に既設鋼桁橋では、鋼主桁３が古い道路橋示方書で設計されているため、前記上フランジ４の幅が狭く、必要な縁端距離ｄが確保できない場合も多い。このことが鋼合成桁橋の端部及び中間支点付近の床版取り換えに対してプレキャストＰＣ床版が使用されていない一因にもなっている。
また、上フランジ４の幅が狭く縁端距離ｄが十分確保できない場合には、モルタルを確実に上フランジ４上に充填させるためモルタル充填用の調整ゴム８を取り付ける必要があるが、これによって縁端距離ｄをさらに短くすることになる。これを避けるためには上フランジ４を拡幅しなければならず、建設コストの高騰を招く等の問題もある。
したがって、高強度スタッドジベル５をずれ止めに用いてプレキャストＰＣ床版１を鋼合成桁橋に使用した例としては、新設橋の第二東名高速道路員弁川橋にみられるものの、既設橋の損傷した床版の取り換えに高強度スタッドジベル５をずれ止めに用いてプレキャストＰＣ床版１が使用された実績はない。
【非特許文献４】水口和之・小松秀樹・松野進・小野辺良一・倉田幸宏：プレキャストＰＣ床版用のスタッドの強度特性に関する解析的検討−員弁川橋−、土木学会第５４回年次学術講演会概要集、1999年9月
【発明の開示】
【発明が解決しようとする課題】
【０００６】
本発明の課題は、上記背景技術に鑑み、既設の鋼合成桁橋の補修・補強工事にプレキャストＰＣ床版の使用を可能とする鋼主桁とプレキャストＰＣ床版との接合構造を提供することにある。
【課題を解決するための手段】
【０００７】
本発明者等は、上記課題を下記の手段により解決した。
（１）鋼合成桁橋の鋼主桁とプレキャストＰＣ床版との接合構造において、鋼主桁の上フランジの複数箇所のそれぞれに相互に近接して配置された複数本の高強度スタッドジベルが溶着・立設され、前記複数本の高強度スタッドジベルのうち縁端距離の短い２本の高強度スタッドジベルの根元部に該高強度スタッドジベルを取り囲むようにしてコイル状のスプリングでなるスパイラル筋が配設され、これら２つのスパイラル筋と複数本の高強度スタッドジベルとで構成されるスタッドジベルユニットを、前記プレキャストＰＣ床版のＰＣ鋼材が存在しない位置に穿設されたスタッドジベル孔に挿通した後、前記スタッドジベル孔にモルタルを充填・固化して鋼主桁とプレキャストＰＣ床版とを高強度スタッドジベルとスパイラル筋を介して接合させてなることを特徴とする高強度スタッドジベルとスパイラル筋による鋼合成桁橋の鋼主桁とプレキャストＰＣ床版との接合構造。
【０００８】
（２）鋼合成桁橋の鋼主桁とプレキャストＰＣ床版との接合構造において、鋼主桁の上フランジの複数箇所のそれぞれに相互に近接して配置された複数本の高強度スタッドジベルが溶着・立設され、前記複数本の高強度スタッドジベルのうち縁端距離の短い２本の高強度スタッドジベルの根元部に、それぞれの高強度スタッドジベルを取り囲むようにして、コイル状のスプリングとその下端に嵌合された固定具とから構成されるスパイラル筋用具が固定され、これら２つのスパイラル筋用具と複数本の高強度スタッドジベルとで構成されるスタッドジベルユニットを、前記プレキャストＰＣ床版のＰＣ鋼材が存在しない位置に穿設されたスタッドジベル孔に挿通した後、前記スタッドジベル孔にモルタルを充填・固化して鋼主桁とプレキャストＰＣ床版とを高強度スタッドジベルとスパイラル筋用具を介して接合させることを特徴とする高強度スタッドジベルとスパイラル筋による鋼合成桁橋の鋼主桁とプレキャストＰＣ床版との接合構造。
【０００９】
（３）前記高強度スタッドジベルの根元を取り囲むように配設されるスパイラル筋の長さが、２０〜９０ｍｍであることを特徴とする前項（１）又は（２）に記載の高強度スタッドジベルとスパイラル筋による鋼合成桁橋の鋼主桁とプレキャストＰＣ床版との接合構造。
（４）前記スパイラル筋に用いられるコイル状のスプリングが、直径が３．２ｍｍ〜４．０ｍｍの鋼線で構成され、かつ該スプリングの下部末端部又は上下両末端部が、１巻後のスプリングの腹部に溶接されてなることを特徴とする前項（１）〜（３）のいずれか１項に記載の高強度スタッドジベルとスパイラル筋による鋼合成桁橋の鋼主桁とプレキャストＰＣ床版との接合構造。
（５）前記スプリングのコイル径が、前記高強度スタッドジベルの軸径の１．５〜３倍であることを特徴とする前項（１）〜（４）のいずれか１項に記載の高強度スタッドジベルとスパイラル筋による鋼合成桁橋の鋼主桁とプレキャストＰＣ床版との接合構造。
【００１０】
（６）前記固定具が、環状板の外周部に数か所の切り込みを有しかつ上端部が内側にオーバーハングした側壁と、また内周部に前記高強度スタッドジベルの根元部にスパイラル筋を係止、固定するために内側に向かって突出した複数個の爪とを、弾性を有する金属板で一体構造に形成してなることを特徴とする前項（２）〜（５）のいずれか１項に記載の高強度スタッドジベルとスパイラル筋による鋼合成桁橋の鋼主桁とプレキャストＰＣ床版との接合構造。
【発明の効果】
【００１１】
本発明の高強度スタッドジベルとスパイラル筋による鋼合成桁橋の鋼主桁とプレキャストＰＣ床版との接合構造により下記の効果が発揮される。
（ア）高強度スタッドジベルを取り囲むようにしてスパイラル筋を配設することにより縁端距離が短い場合にも高強度スタッドジベルの有するせん断耐荷力を引き出すことができるので、従来スタッドジベルが多数立設されていた鋼合成桁橋の端部及び中間支点上に配設されるスタッドジベルの本数を減じることができ、これまでプレキャストＰＣ床版の横締めＰＣ鋼材とスタッドジベル孔とが干渉するために使用できず場所打ちＲＣ床版や合成床版で対応されることの多かった前記鋼合成桁橋の端部及び中間支点上においてもプレキャストＰＣ床版の使用が可能になり、橋梁の軽量化、耐久性向上、高品質化に寄与するとともに、工期の短縮が図れる。
（イ）高強度スタッドジベルを取り囲むようにしてスパイラル筋を配設することによりスパイラル筋のない場合に比べ、高強度スタッドジベルが有するせん断耐荷重を引張強度まで引き出すのに要する縁短距離が短縮できるので、鋼主桁の上フランジ幅の狭い既設橋の補修にプレキャストＰＣ床版を使用する場合にも前記上フランジを拡幅するなどの必要がなく、建設コストの節減が図れる。
（ウ）さらに請求項２に記載のコイル状のスプリングの下端に固定具を嵌合したスパイラル筋用具の使用によって、該スパイラル筋を高強度スタッドジベルの周りに同心円状に正確、容易に配設することができ、高強度スタッドジベルの最大せん断耐荷力の有効活用と、作業性のさらなる向上が図れる。
（エ）前記（ア）〜（ウ）の効果によって既設の鋼合成桁橋のコンクリート床版取り換え補修工事に、プレキャストＰＣ床版の使用が可能になり、従来のＲＣ床版による補修に比べ、鋼主桁への死荷重の軽減が図れ、また補修工事による通行止めの期間も短縮でき、作業効率の向上と建設コストの節減が図れる。
【発明を実施するための最良の形態】
【００１２】
本発明の実施の形態を、実施例の図に基づいて説明する。
図１は本発明実施例の接合構造を説明するための斜視図、図２は高強度スタッドジベルとスパイラル筋との配置例を示す斜視図、図３はスパイラル筋の一実施例の構造図、図４は固定具を備えたスパイラル筋用具の構造説明図、図５はスパイラル筋用具の高強度スタッドジベルへの固定手順説明図である。
図において１はプレキャストＰＣ床版、２はスタッドジベル孔、３は鋼主桁、４は上フランジ、５、５ａ、５ｂ、５ｃは高強度スタッドジベル、６はスパイラル筋、７はモルタル、８はモルタル充填用調整ゴム、９はＰＣ鋼材、５１は高強度スタッドジベルの頭部、５２は高強度スタッドジベルの軸部、５３高強度スタッドジベルの根元部（鋼主桁との溶接余盛り部）、６１はスプリング、６２はスプリングの溶接部、７０は固定具、７１は固定具の環状板部、７２は固定具の側壁部、７３は固定具の爪であり、ｄは縁端距離を示す。
【実施例１】
【００１３】
本発明になる高強度スタッドジベルとスパイラル筋による鋼合成桁橋の鋼主桁とプレキャストＰＣ床版との接合構造の一実施例を図１に示す。なお、図１は、上フランジ４の複数箇所にそれぞれ複数本の高強度スタッドジベルが相互に近接して溶着・立設された鋼主桁３とプレキャストＰＣ床版１とのある１箇所の接合構造を示したものである。
本実施例は、図１に示すように、鋼主桁３の上フランジ４のある１箇所に溶着・立設された相互に近接した複数本の高強度スタッドジベル（図１では３本）５ａ、５ｂ、５ｃのうち縁端距離ｄの短い２本の高強度スタッドジベル５ａ、５ｃの根元部にスパイラル筋６ａ、６ｃを配設し、これら２つのスパイラル筋６ａ、６ｃと相互に近接した複数本の高強度スタッドジベル５ａ、５ｂ、５ｃとでなるスタッドジベルユニットを、前記プレキャストＰＣ床版１のＰＣ鋼材が存在しない位置に穿設されたスタッドジベル孔２に挿通した後、前記スタッドジベル孔２にモルタルを充填・固化して鋼主桁とプレキャストＰＣ床版とを接合させるものである。
スタッドジベル孔２に充填されたモルタルは、前記鋼主桁３の上フランジ４とプレキャストＰＣ床版１との間にも充填されて上フランジ４とプレキャストＰＣ床版１とを接合させる。しかし前記上フランジン４の幅が狭く、上フランジ４の端部から高強度スタッドジベル５ａ、５ｃまでの距離が短いと、この部分に充填され上フランジ４とプレキャストＰＣ床版１とを接合させるモルタル７の端部から高強度スタッドジベル５ａ、５ｃまでの間隔、すなわち縁端距離ｄも短くなり、背景技術の項で記述したとおり、前記モルタル７が凹レキャストＰＣ床版１と上フランジ４との間に生じるせん断力に対して抵抗する高強度スタッドジベル５ａ又は５ｃの支圧力によって破損する恐れが高まる。そこで縁端距離ｄの短い高強度スタッドジベル５ａ、５ｃの周りにそれを取り囲むようにスパイラル筋６ａ、６ｃを配設し、モルタル７に加わる応力を軽減し、短い縁端距離ｄにおいても高強度スタッドジベル５ａ、５ｃの持つ高いせん断耐荷力を引き出している。
【００１４】
本発明者らは本発明の効果を確認するため、図２に示すように３本の高強度スタッドジベル５ａ、５ｂ、５ｃとスパイラル筋６ａ、６ｃを配置して実験を行った。実験に使用したスパイラル筋６ａ、６ｃの形状・寸法を、図３に示した。
実験結果によれば、ス高強度タッドジベル５ａ、５ｃにスパイラル筋６ａ、６ｃを配設したときの最大せん断耐力は、スパイラル筋のない場合に比べて１５％程度大きくなり、また実験に使用した高強度スタッドジベルが引張強度まで性能を発揮するのに必要な縁端距離ｄは、スパイラル筋のない場合の７０ｍｍ以上からスパイラル筋を使用した場合の５０ｍｍ以上に短縮された。
その後の検討結果では、高強度スタッドジベル５ａ、５ｃの根元を取り囲むように配設されるスパイラル筋６ａ、６ｃの長さは２０ｍｍ〜９０ｍｍが好ましく、また、スパイラル筋６ａ、６ｃが直径３．２ｍｍ〜４．０ｍｍの鋼線をコイル径が高強度スタッドジベルの軸径の１．５から３倍になるように構成したスプリングであること、鋼線の下部末端部又は上下両末端部を１巻後のスプリング腹部に溶接してせん断力によるスパイラル筋６ａ、６ｃの変形に伴うスパイラル筋のモルタル拘束力低下を抑止することが好ましいことが分かった。
さらにスパイラル筋６ａ、６ｃは、高強度スタッドジベル５ａ、５ｃの軸の周りに同心円状に配設されることが好ましい。
【実施例２】
【００１５】
本発明第２の実施例は、スパイラル筋を高強度スタッドジベルの軸の周りに同心円状に確実容易に配設するために考案した固定具を備えたスパイラル筋用具を使用した鋼主桁とプレキャストＰＣ床版の接合構造であって、スパイラル筋以外の接合構造は実施例１の場合と同じである。したがって、ここでは固定具を備えたスパイラル筋用具の構造と、該スパイラル筋用具の高強度スタッドジベルへの装着方法についてのみ説明する。
【００１６】
図４に固定具を備えたスパイラル筋用具の構造説明図を示す。
図４に見られるように本実施例のスパイラル筋用具は、コイル状のスプリング６１と固定具７０とで構成される。
コイル状のスプリング６１は、その下部末端部を１巻き後のスプリングの腹部に溶接され（溶接部６２）ており、また前記固定具７０は、環状板７１の外周部に数か所の切り込みを有しかつ上端部が内側にオーバーハングした側壁７２と、また内周部に前記スタッドジベルの根元部にスパイラル筋を係止、固定するために内側に向かって突出した複数個の爪７３とを、弾性を有する金属板で一体構造に形成されている。そして前記スプリング６１の下端の１巻きが、前記固定具７０の環状板７１の上部に前記側壁７２の内側に接するように配置され、かつ側壁７２のオーバーハング部が前記スプリング６１の下端の１巻きの鋼線の上部を抑えるようにしてカシメられスパイラル筋用具として一体化されている。
【００１７】
上記のようにして構成された固定具を備えたスパイラル筋用具は、図５（ｃ）に示すように、鋼主桁の上フランジ４に溶接されたことにより高強度スタッドジベルの軸５２の径より幾分太くなっている該高強度スタッドジベルの根元部５３に定着具７０の爪７３を係止させることによって前記高強度スタッドジベルの軸５２の周りに同心円状に配置・固定される。したがって固定具の複数の爪７３の内側に形成される円形の空間の直径を、前記高強度スタッドジベルの根元部５３の直径よりやや小さく設計されることが好ましい。
【００１８】
この固定具を備えたスパイラル筋用具を、高強度スタッドジベルに装着する手順を図５（ａ）〜図５（ｃ）によって説明する。
まず図５（ａ）に示すように前記固定具を備えたスパイラル筋用具の固定具７０の下部を、その複数の爪７３が高強度スタッドジベルの頭部５１に均等に掛かるように載置する。この際前記高強度スタッドジベルの頭部５１の直径は、前記固定具の爪７３の内側に形成される円形空間の直径より大きい場合が多いが、前記スプリング６１の上部を押し下げることにより弾性を有する金属で形成された固定具の爪７３の先端が上方に押し上げられ、前記固定具の爪７３の内側に形成される円形空間の直径が拡大し、前記固定部が高強度スタッドジベルの頭部５１の下部に侵入し図５（ｂ）に示す状態になる。
この固定具７０を押し下げる際、前記コイル状のスプリング６１のバネ力も有効に作用する。
高強度スタッドジベルの頭部５１の下部に侵入した固定具７０は容易に高強度スタッドジベルの根元部５３の上部に達する。そこで再度スプリング６１の上部を押して固定具の環状板７１の下面を上フランジ４の上面に接着するとともに固定具の複数の爪７３を前記高強度スタッドジベルの根元部５３の溶接余盛りに係止し、前記固定具の爪７３の弾性力を利用して、固定具を備えたスパイラル筋用具を高強度スタッドジベル５の周りに同心円状に固定する。
【図面の簡単な説明】
【００１９】
【図１】本発明実施例の接合構造を説明するための斜視図
【図２】高強度スタッドジベルとスパイラル筋との配置例を示す斜視図
【図３】スパイラル筋の一実施例の構造図
【図４】固定具を備えたスパイラル筋用具の構造説明図
【図５（ａ）】スパイラル筋用具の高強度スタッドジベルへの固定手順説明図（開始時）
【図５（ｂ）】スパイラル筋用具の高強度スタッドジベルへの固定手順説明図（中途時）
【図５（ｃ）】スパイラル筋用具の高強度スタッドジベルへの固定手順説明図（完了時）
【図６】従来のスタッドジベル（ＪＩＳＢ１１９８）を用いたスタッドジベル配置とプレキャストＰＣ床版のＰＣ鋼材配設位置との関係の説明図
【図７】縁端距離の説明図
【符号の説明】
【００２０】
１：プレキャストＰＣ床版
２：スタッドジベル孔
３：鋼主桁
４：上フランジ
５、５ａ、５ｂ、５ｃ：高強度スタッドジベル
６ａ、６ｃ：スパイラル筋
７：モルタル
８：モルタル充填用調整ゴム
９：ＰＣ鋼材
５１：高強度スタッドジベルの頭部
５２：高強度スタッドジベルの軸部
５３：高強度スタッドジベルの根元部（鋼主桁との溶接余盛り部）
６１：スプリング
６２：スプリングの溶接部
７０：固定具
７１：固定具の環状板部
７２：固定具の側壁部
７３：固定具の爪
ｄ：縁端距離
【図１】
2005256430.tif 000003
【図２】
2005256430.tif 000004
【図３】
2005256430.tif 000005
【図４】
2005256430.tif 000006
【図５（ａ）】
2005256430.tif 000007
【図５（ｂ）】
2005256430.tif 000008
【図５（ｃ）】
2005256430.tif 000009
【図６】
2005256430.tif 000010
【図７】
2005256430.tif 000011